(57)【要約】【課題】釣り針保持手段を備えた釣り用リールを提供すること。【解決手段】本発明は、収納部が設けられたリール本体と、釣り針が掛止される掛止部および収納部に結合する連結部を含む保持手段とを導入することにより、釣り針を保持手段の掛止部に安定的に保持するため、釣り針による釣り用リールの損傷及び使用者の傷害を防止し、さらにリール付き釣り竿の移動や運搬などの取り扱い上の便宜性を保障することができる。特に、前記保持手段をリール本体の内側から外側方向へ回動可能に設けることにより、釣り竿の使用中に必要に応じてリール本体から保持手段を収納させることができるため、使用便宜性が保障され、さらに保持手段の出し入れ動作が容易かつ単純であるうえ、構造が簡単であって生産性を高めることができる。【選択図】図２
2014236728.tif 000002
【特許請求の範囲】
【請求項１】
内側面に収納部が備えられた内側カバーを含むリール本体と、
釣り針が掛止される掛止部、および前記掛止部に連設され、前記収納部に結合する連結部から構成される釣り針保持手段と、を含んでなり、
前記保持手段は、
前記連結部が前記収納部に回動軸を介して回動可能に結合し、前記掛止部が前記リール本体の内側に対して出し入れされることを特徴とする、釣り針保持手段を備えた釣り用リール。
【請求項２】
前記収納部は、前記回動軸の周りに、前記掛止部の回動方向に沿って設けられた回動スリットを有し、
前記保持手段は、前記回動軸が結合する前記連結部の回動孔の周りに、前記回動スリットに挿入されて前記掛止部を前記収納部に拘束させる係止突出部を含んでなることを特徴とする、請求項１に記載の釣り針保持手段を備えた釣り用リール。
【請求項３】
前記保持手段は、前記内側カバーに内蔵されて一側に設けられる拘束突起部と、前記係止突出部とを連結する弾性部材を含んでなることを特報とする、請求項２に記載の釣り針保持手段を備えた釣り用リール。
【請求項４】
前記弾性部材は、前記拘束突起部に連結される一側端部と、前記係止突出部に連結される他側端部と、前記両側端部の間に設けられる円形捩れ部とから構成され、
両側端部が前記円形捩れ部の回転反対方向に弾性力を発揮することにより、
前記保持手段は、前記係止突出部が前記回動スリットに沿って回動するとき、回動スリットの折曲部を基準として両方向に、前記弾性部材が前記係止突出部の回動を弾性支持して前記掛止部の引き出しまたは引き込み完了状態が保たれることを特徴とする、請求項３に記載の釣り針保持手段を備えた釣り用リール。
【請求項５】
前記掛止部は、一側が開口している輪部を含んでなることを特徴とする、請求項１ないし請求項４のいずれか１項に記載の釣り針保持手段を備えた釣り用リール。
【請求項６】
前記保持手段は、前記掛止部から一方向に突出した挿入突起部を含み、
前記内側カバーの収納部には前記挿入突起部を挿入するための挿入溝が備えられることにより、
前記挿入突起部と前記挿入溝との間に釣り糸を挿通して固定させるラインストッパーとして機能することを特徴とする、請求項１ないし請求項５のいずれか１項に記載の釣り針保持手段を備えた釣り用リール。
【請求項７】
前記保持手段は、引き込み状態を保ちながらワンタッチ方式で前記掛止部を引き出すことができるようにする引き出し手段を含んでなることを特徴とする、請求項１ないし請求項６のいずれか１項に記載の釣り針保持手段を備えた釣り用リール。
【発明の詳細な説明】
【技術分野】
【０００１】
本発明は、釣り針保持手段を備えた釣り用リールに係る。より詳しくは、収納部が設けられたリール本体と、釣り針が掛止される掛止部および収納部に結合する連結部を含む保持手段とを有し、釣り針を前記保持手段の掛止部に安定的に保持することができ、釣り針による釣り用リールの損傷及び使用者の傷害を防止し、さらにリール付き釣り竿の移動や運搬などの取り扱い上の便宜性を保障することができる釣り用リールに関する。特に前記保持手段をリール本体の内側から外側方向へ回動可能に設けることにより、釣り竿の使用中に必要に応じてリール本体から保持手段を収納させることができるため、使用便宜性が保障され、保持手段の出し入れ動作が容易かつ単純であるうえ、構造が簡単であって生産性を高めることができる、釣り針保持手段を備えた釣り用リールに関する。
【背景技術】
【０００２】
従来の釣り針保持具を備えたリールとしては、特許文献１（２００５年５月５日、以下、「従来技術」という）に、「両軸受けリールの本体」が開示されている。前記従来技術は、回転するスプールに釣り糸が巻き付けられる両軸受けリールのリール本体であって、フレームと、第１及び第２カバーと、前面カバーと、釣り針結合部とを備え、前記フレームはスプールの左右に配置された一対の側板と両側板を連結する複数の連結部を有し、第１及び第２カバーは各側板を覆うように装着されており、前面カバーはフレームの前方を覆うように装着され、そこにはレベルワインド器具の釣り糸ガイドに対応する左右に長い開口が設けられ、釣り針結合部は前面カバーから外側に間隔を置いて開口に沿って配置された棒状の部材からなる。
【０００３】
すなわち、前記従来技術は、釣り針結合部に釣り針を掛けることで、リール本体への傷発生を防止するためになされたものである。ところが、前記従来技術によれば、釣り針結合部が常にリール本体に結合しているため、釣りの途中で、様々な方式でリールを把持する場合、釣り針結合部によって把持が不便になるという問題点があり、このような場合、釣り針結合部によって使用者が傷害を被るおそれがあるという問題点がある。
【０００４】
したがって、上述したような問題点を一挙に解消することが可能な装置の開発が切実に求められている。
【先行技術文献】
【特許文献】
【０００５】
【特許文献１】大韓民国登録特許第１０−０４７１５７１号公報
【発明の概要】
【発明が解決しようとする課題】
【０００６】
本発明は、前述したような問題点を解決するためになされたもので、リール本体の収納部に保持手段の連結部が回動可能に構成されることにより、釣り竿の使用中に、必要に応じて釣り用リールに対して保持手段を出し入れすることができるため、使用便宜性が保障され、保持手段の出し入れ動作が容易かつ単純であるうえ、構造が簡単であって生産性を高める、釣り針保持手段を備えた釣り用リールを提供することを目的とする。
【０００７】
また、本発明は、前記保持手段の回動を案内して出し入れ動作を容易に行いながら、掛止部が内側カバーから外されるなどの破損問題を防止することができるように、前記収納部に掛止部の回動方向に沿って切り取られた形態の回動スリットを導入し、該回動スリットに挿入され結合して回動を案内する係止突出部を前記連結部に導入した、釣り針保持手段を備えた釣り用リールを提供することも目的とする。
【０００８】
また、本発明は、前記保持手段の出し入れ動作の際に、その完了状態が保たれて使用者が便利に使用することができるように、弾性部材によって弾性支持される釣り糸保持手段を備えた釣り用リールを提供することも目的とする。
【０００９】
また、本発明は、前記保持手段の出し入れ動作がワンタッチスナップ方式で行われることにより、保持手段の出し入れが極めて便利に行われるように円形捩れ部を有する弾性部材を導入し、保持手段の回動の際に前記弾性部材が回動スリットの中央折曲部を基準として両方向に弾性支持されるようにした、釣り針保持手段を備えた釣り用リールを提供することも目的とする。
【００１０】
また、本発明は、前記保持手段を用いて釣り糸を挿通して固定させるラインストッパーとして活用することができるように、前記掛止部から一方向に突出した挿入突起部と、前記収納部に設けられ、前記挿入突起部が挿入される挿入溝とを含んでなる、釣り針保持手段を備えた釣り用リールを提供することも目的とする。
【００１１】
また、本発明は、前記保持手段の出し入れ作動を便利にすることができるように、ワンタッチ作動方式の引き出し手段が備えられた保持手段を含んでなる、釣り針保持手段を備えた釣り用リールを提供することも目的とする。
【課題を解決するための手段】
【００１２】
本発明に係る釣り針保持手段を備えた釣り用リールは、
内側面に収納部が備えられた内側カバーを含むリール本体と、
釣り針が掛止される掛止部、および前記掛止部に連設され前記収納部に結合する連結部から構成される釣り針保持手段と、を含んでなり、
前記保持手段は、前記連結部が前記収納部に回動軸を介して回動可能に結合し、前記掛止部が前記リール本体の内側に対して出し入れされることを特徴とする。
【００１３】
本発明に係る釣り針保持手段を備えた釣り用リールにおいて、前記収納部は、前記回動軸の周りに、前記掛止部の回動方向に沿って設けられた回動スリットを有し、前記保持手段は、前記回動軸が結合する連結部の回動孔の周りに、前記回動スリットに挿入されて前記掛止部を前記収納部に拘束させる係止突出部を備えていることを特徴とする。
【００１４】
また、本発明に係る釣り針保持手段を備えた釣り用リールにおいて、前記保持手段は、前記内側カバーに内蔵されて一側に設けられる拘束突起部と、前記係止突出部とを連結する弾性部材を含んでなることを特報とする。
【００１５】
また、本発明に係る釣り針保持手段を備えた釣り用リールにおいて、前記弾性部材は、前記拘束突起部に連結される一側端部と、前記係止突出部に連結される他側端部と、前記両側端部の間に設けられる円形捩れ部とから構成され、両側端部が前記円形捩れ部の回転反対方向に弾性力を発揮することにより、前記保持手段は、前記係止突出部が前記回動スリットに沿って回動するとき、回動スリットの折曲部を基準として両方向に前記弾性部材が前記係止突出部の回動を弾性支持して掛止部の引き出しまたは引き込み完了状態が保たれることを特徴とする。
【００１６】
また、本発明に係る釣り針用保持手段を備えた釣り用リールにおいて、前記掛止部は、一側が開口している輪部を含んでなることを特徴とする。
【００１７】
また、本発明に係る釣り針保持手段を備えた釣り用リールにおいて、前記保持手段は前記掛止部から一方向に突出した挿入突起部を含み、前記内側カバーの収納部には前記挿入突起部を挿入するための挿入溝が備えられることにより、前記挿入突起部と前記挿入溝との間に釣り糸を挿通して固定させるラインストッパーとして機能することを特徴とする。
【００１８】
また、本発明に係る釣り糸保持手段を備えた釣り用リールにおいて、前記保持手段は、引き込み状態を保ちながらワンタッチ方式で掛止部を引き出すことができるようにする引き出し手段を含んでなることを特徴とする。
【発明の効果】
【００１９】
本発明に係る釣り糸保持手段を備えた釣り用リールは、 収納部が設けられたリール本体と、釣り針が掛止される掛止部および前記収納部に結合する連結部を含む保持手段とを導入することにより、釣り針を保持手段の掛止部に安定的に保持するため、釣り針による釣り用リールの損傷及び使用者の傷害を防止し、さらにリール付き釣り竿の移動や運搬などの取り扱い上の便宜性を保障することができる。
【００２０】
特に、本発明に係る釣り針保持手段を備えた釣り用リールにおいて、リール本体の収納部に保持手段の掛止部が連結部の回動軸を介して回動可能に構成されることにより、釣り竿の使用中に、必要に応じてリール本体に対して保持手段を出し入れすることができるため、使用便宜性が保障され、さらに着脱動作が容易かつ単純であるうえ、構造が簡単であって生産性を高めることができる。
【００２１】
また、本発明に係る釣り針保持手段を備えた釣り用リールにおいて、掛止部の回動方向に沿って設けられた回動スリットを備え、保持手段の連結部に、前記回動スリットに挿入拘束されて回動を案内する係止突出部を導入することにより、保持手段の安定した出し入れを保障するうえ、掛止部などが内側カバーから外されること、特に、釣り用針の保持の際に釣り用針が外力によって引っ張られると保持手段が撓んだり外されたりして破損することを防止することができる。
【００２２】
また、本発明に係る釣り針保持手段を備えた釣り用リールにおいて、内側カバーに内蔵された拘束突起部と、前記係止突出部とを連結する弾性部材を導入することにより、前記弾性部材の弾性力によって出し入れ状態が保たれるため、その使用が便利である。
【００２３】
また、本発明に係る釣り針保持手段を備えた釣り用リールにおいて、前記弾性部材の中央に円形捩れ部を備え、両側端部が円形捩れ部の回転反対方向に弾性力を発揮するようにすることにより、保持手段の回動の際に、前記弾性部材が回動スリットの中央折曲部を通るときに縮み、その後さらに広げられるため、保持手段の出し入れ動作がワンタッチスナップ方式で行われてその使用が非常に便利である。
【００２４】
また、本発明に係る釣り針保持手段を備えた釣り用リールは、挿入突起部を介して、掛止部が引き込まれるときに釣り糸を挿通して固定させることができるので、別途のラインストッパーなどを追加購買して使用する必要がなく、費用負担が減るうえ、特にワンタッチ方式で掛止部の引き込み状態が解除されて引き出し作動が行われる引き出し手段を導入することにより、掛止部の出し入れが容易に行われて使用が非常に便利である。
【図面の簡単な説明】
【００２５】
【図１】本発明に係る釣り竿のリール本体を示す斜視図である。
【図２】本発明に係る釣り竿のリール本体を示す斜視図である。
【図３】本発明に係る釣り竿のリール本体を示す斜視図である。
【図４】本発明に係るリール本体の保持手段を説明するために図示方向を互いに異ならせた図である。
【図５】本発明に係るリール本体の保持手段を説明するために図示方向を互いに異ならせた図である。
【図６】本発明に係るリール本体の保持手段を説明するために図示方向を互いに異ならせた図である。
【図７】本発明に係るリール本体の保持手段を説明するために図示方向を互いに異ならせた図である。
【図８】本発明に係るリール本体の保持手段のワンタッチスナップ方式の出し入れを説明するための図である。
【図９】本発明に係るリール本体の保持手段の他の実施例を説明するための図である。
【図１０】本発明に係るリール本体の保持手段の他の実施例を説明するための図である。
【図１１】本発明に係るリール本体の保持手段の他の実施例を説明するための図である。
【図１２】本発明に係るリール本体の保持手段の他の実施例を説明するための図である。
【図１３】本発明に係るリール本体の保持手段の他の実施例を説明するための図である。
【図１４】本発明に係るリール本体の保持手段の他の実施例を説明するための図である。
【図１５】本発明に係るリール本体の保持手段の他の実施例を説明するための図である。
【図１６】本発明に係るリール本体の保持手段の他の実施例を説明するための図である。
【発明を実施するための形態】
【００２６】
本発明は、様々な変更を加えることができ、様々な形態を持つことができる。以下、実施態様（または実施例）に基づいて本発明を詳細に説明する。しかし、これは本発明を特定の開示形態に限定しようとするものではなく、本発明の思想及び技術範囲に含まれる変更、均等物及び代替物はいずれも本発明に含まれるものと理解すべきである。
【００２７】
各図面において、同一の参照符号、特に十の桁および一の桁、あるいは十の桁、一の桁およびアルファベットが同じ参照符号は同一または類似の機能を有する部材を示し、特に言及されない限り、各参照符号が指す部材はこのような基準に準じる部材として把握すればよい。
【００２８】
また、各図において、構成要素は理解の便宜などを考慮して大きさまたは厚さを誇張して大きく（または厚く）又は小さく（または薄く）表現し、或いは単純化して表現しているが、これにより本発明の保護範囲が制限的に解釈されてはならない。
【００２９】
本明細書で使用した用語は、特定の実施態様（または実施例）を説明するために使用されるもので、本発明を限定しようとする意図ではない。単数の表現は、文脈上明らかに異なる意味を表さない限り、複数の表現を含む。
【００３０】
本出願において、「含む」又は「有する」などの用語は、明細書に記載された特徴、数字、段階、動作、構成要素、部品又はそれらの組み合わせが存在することを示すものであり、１つ又はそれ以上の他の特徴、数字、段階、動作、構成要素、部品又はそれらの組み合わせの存在又は付加の可能性を予め排除しないものと理解すべきである。
【００３１】
別途定義されていない限り、技術的又は科学的な用語を含めてここで使用される全ての用語は、本発明の属する技術分野における通常の知識を有する者に一般的に理解されるものと同様の意味を持っている。一般に使用される辞書に定義されている用語は、関連技術の文脈上持つ意味と同じ意味を持つと解釈されるべきであり、本出願において明らかに定義しない限り、理想的または過度に形式的な意味には解釈されない。
【００３２】
本明細書における「第１」、「第２」などは、互いに異なる構成要素であることを区分するためのものに過ぎず、製造された順序に拘らず、発明の詳細な説明および請求の範囲でその名称が一致しないこともある。
【００３３】
本発明に係る釣り針保持手段を備えた釣り用リールを説明するにあたって、便宜のために、厳しくない大略の方向基準を図２を参照して特定すると、重力が作用する方向を下にして、見える方向そのまま上下を定める。
【００３４】
そして、本明細書上で使用された「保持動作」は、保持手段に釣り針を単に掛止する動作だけでなく、スプールに釣り糸を巻き付けることにより釣り針が保持手段に掛止されて引っ張られる動作を意味する。
【００３５】
以下、本発明に係る釣り針保持手段を備えた釣り用リールを添付図面に基づいて説明する。
【００３６】
まず、図１〜図８に示すように、本発明に係る釣り針保持手段を備えた釣り用リールは、内側面に収納部１０７が備えられた内側カバー１０１ｂを含むリール本体Ｒと、 釣り針が掛止される掛止部１２１、および前記掛止部１２１に連設され、前記収納部１０７に結合する連結部１２３から構成される釣り針保持手段１２０とを含んでなり、前記保持手段１２０は、前記連結部１２３が前記収納部１０７に回動軸１０６を介して回動可能に結合し、前記掛止部１２１が前記リール本体Ｒの内側に対して出し入れされることを特徴とする。
【００３７】
前記リール本体Ｒは、釣り竿のリールシート（図示せず）に取り付けられ、巻き付けられている釣り糸を繰り出したり繰り出されている釣り糸を巻き付けたりする役目をする。
【００３８】
前記リール本体Ｒは、両側にカバー部材１０１が備えられ、前記カバー部材１０１同士の間には、釣り糸の巻き付けられたスプール（ｓｐｏｏｌ）１０２が回転可能に設けられるとともに、前記カバー部材１０１同士の間に連結され、前記スプール１０２の前方に配列されて左右方向に移動しながら釣り糸が縺れないように案内するガイド部１０３が設けられる。
【００３９】
また、一側に備えられたカバー部材１０１には前記スプール１０２と連結されたハンドル１０４が設けられ、前記ハンドル１０４には複数の取っ手１０４ａが設けられることにより、使用者が取っ手１０４ａを把持しハンドル１０４を操作して前記スプール１０２の釣り糸を繰り出したり巻き付けたりすることができる。
【００４０】
そして、前記各カバー部材１０１の下部に、前記リールシートに結合する装着台１０５が備えられることにより、釣り竿にリール本体Ｒを固定させることができる。
【００４１】
図４〜図７に示すように、本発明に係る釣り針保持手段１２０を備えた釣り用リールにおいて、前記カバー部材１０１のうち、前記ハンドル１０４を備える内側カバー１０１ｂの内側面には収納部１０７が凹設されている。
【００４２】
前記収納部１０７には回動軸１０６が設けられており、収納部の形状に相応する形状の保持手段１２０が前記回動軸１０６を介して結合する。
【００４３】
前記保持手段１２０は、釣り針を掛止することが可能な輪状の掛止部１２１と、この掛止部１２１に連設され、回動孔を有する連結部１２３とを含んでなり、前記掛止部１２１が前記回動軸１０６を中心に回動して前記カバー部材の収納部１０７に対して出し入れされるようにする。
【００４４】
図４および図５は前記保持手段１２０が引き込まれた状態を、図示方向を互いに異ならせて示す斜視図、図６および図７は前記保持手段１２０が引き出された状態を図示方向を互いに異ならせて示す斜視図である。
【００４５】
図４〜図７では、説明の便宜のために、フレーム１０１ａとハンドル１０４の構成を省略した。
【００４６】
次に、図２〜図７を参照して、前記保持手段１２０について詳細に説明する。前記内側カバー１０１ｂの収納部１０７に設けられた回動軸１０６の周りに、掛止部１２１の回動方向と同一の方向に設けられる回動スリット１０８が備えられている。前記保持手段１２０は、前記回動軸１０６が結合する連結部１２３の回動孔の周りに、前記回動スリット１０８に挿入されて前記掛止部１２１を前記収納部１０７に拘束させる係止突出部１２５を含んでなる。
【００４７】
前記内側カバー１０１ｂの内部には、スプール１０２とハンドル１０４とを連結してハンドルを回転させるハンドル回転部１０１ｂａが設けられているが、前記ハンドル回転部１０１ｂａの周りには、ハンドル１０４の回転を制御する制御部材１２９が備えられている。
【００４８】
前記制御部材の一側に備えられる拘束突起部１２８と前記係止突出部１２５とが弾性  部材１２７を介して互いに連結されており、前記掛止部１２１の回動がワンタッチスナップ方式で行われるようにする。
【００４９】
すなわち、より詳しくは、図８に示すように、前記制御部１２９の一側端部に拘束突起部１２８が設けられ、この拘束突起部１２８には弾性部材１２７の一側端部１２７ａと結合する孔が設けられる。
【００５０】
前記弾性部材１２７は、一側端部１２７ａが前記拘束突起部１２８にヒンジ結合され、他側端部１２７ｂが前記係止突出部１２５にヒンジ結合される。
【００５１】
前記係止突出部１２５には、前記弾性部材１２７の他側端部１２７ｂとヒンジ結合する孔が設けられる。
【００５２】
前記弾性部材１２７は、中央に円形捩れ部１２７ｃを有する１種のトーションバネであって、両側端部１２７ａ、１２７ｂが前記円形捩れ部１２７ｃの回転方向と反対の方向に弾性力を発揮するように設けられる。
【００５３】
したがって、図２〜図８に示すように、前記掛止部１２１を前記リール本体Ｒから外方に引き出すとき、前記係止突出部１２５が、前記回動スリット１０８に拘束された状態で移動しながら、前記回動スリット１０８の内側端部１０８ａと外側端部１０８ｂの中央に設けられた中央折曲部１０８ｃを通過しながら、前記弾性部材の両側端部が縮み、前記中央折曲部を通過すると、前記弾性部材１２７の両側端部がさらに広げられながら前記係止突出部１２５を回動スリット１０８の外側端部１０８ｂに向かって弾性支持し、掛止部１２１の引き出し動作の際にはワンタッチスナップ方式で掛止部１２１が引き出された後にその状態が維持され、掛止部１２１の引き込みの際には上述の弾性部材が逆に作用して前記弾性部材１２７が前記係止突出部１２５を前記回動スリット１０８の内側端部１０８ａに向かって弾性支持しながら引き込み状態が維持されることにより、掛止部１２１がリール本体Ｒの内側に収納される。
【００５４】
このため、本発明は、使用者がワンタッチスナップ方式の簡単な動作のみで前記保持手段１２０を操作することができて極めて便利である。
【００５５】
一方、本発明の保持手段１２０は、図９〜図１６に示した形態に変形可能である。
【００５６】
図９〜図１６では、説明の便宜のために、各構成が投影された断面形態として図示した。
【００５７】
まず、図９〜図１２に示すように、前記掛止部１２１は、一側が開口している輪部１２１Ａを有し、弾性部材１２７の一側端部１２７ａが拘束突起部１２８ではなく内側カバー１０１ｂ自体にヒンジ結合される構造である。
【００５８】
特に、図９〜図１２に示した前記弾性部材の結合形態は、制御部材１２９が備えられない釣り用リールに適用されるもので、弾性部材１２７の一側端部１２７ａが結合した内側カバー１０１ｂの結合孔自体が上述の拘束突起部としての機能を果たす。
【００５９】
図１３〜図１６に示すように、本発明の保持手段１２０は、前記掛止部１２１の端部からいずれか一方向に突出した挿入突起部１２１ａを含み、前記内側カバー１０１ｂの収納部には前記挿入突起部１２１ａを挿入するための挿入溝（図示せず）が備えられることにより、保持手段１２０をリール本体に引き込ませるときにラインストッパーとして機能するようにすることができる。
【００６０】
すなわち、保持手段の掛止部１２１を引き出した状態では、上述したように、釣り用針を輪部１２１Ａ（または掛止部１２１）に掛止して使用し、釣り糸に結び目を作るとき或いはリール本体を使用せずに保管するときには、前記挿入突起部１２１ａに釣り糸Ｌを掛けた後、掛止部１２１を引き込ませておくと、釣り糸Ｌが挿入突起部と挿入溝との間に介在した状態で固定されるので、釣り糸Ｌが縺れたり釣り糸が釣り用リールの部品の間に介在して破損したりすることを防止することができる。
【００６１】
よって、本発明は、上述したような目的のために、釣り用品としてラインストッパーを別途購買する必要のない、ラインストッピング機能が実現された釣り用リールを提供することができる。
【００６２】
前記挿入突起部１２１ａと挿入溝は、フレーム１０１ａまたは内側カバー１０１ｂのうちいずれか一方向に向かって設けられてもよい。
【００６３】
また、本発明の保持手段１２０は、図示してはいないが、引き込み状態を保ちながらワンタッチ方式で掛止部１２１を引き出すことができるようにする引き出し手段（例えば、ボールペンなどに使用されるスナップボタン、または掛止部１２１を引き込みながら押圧すると固定され、さらに押圧すると掛止部１２１が引き出される形態など）を導入して掛止部の出し入れ作動を便利に行うことができるようにすることがより好ましい。
【００６４】
このような使用者の便宜のための様々な形態の引き出し手段は、上述していない他の様々な形態でも本発明に導入できる。それらの変形は当業者であれば十分予測して再現することができるであろう。
【００６５】
以上、本発明を説明するにあたって、添付図面を参照して、特定の形状および構造を有する保持手段を備えた釣り用リールを中心に説明したが、本発明は、当業者によって様々な修正、変更および置換が可能であり、それらの修正、変更および置換も本発明の保護範囲に属すると解釈されるべきである。
【符号の説明】
【００６６】
１０１      カバー部材
１０１ａ    フレーム
１０１ｂ    内側カバー
１０１ｃ    挿入溝
１０２      スプール
１０３      ガイド具
１０４      ハンドル
１０４ａ    取っ手
１０５      装着台
１０６      回動軸
１０７      収納部
１０８      回動スリット
１２０      保持手段
１２１      掛止部
１２３      連結部
１２５      係止突出部
１２７      弾性部材
１２８      拘束突起部
１２９      制御部材
【図１】
2014236728.tif 000003
【図２】
2014236728.tif 000004
【図３】
2014236728.tif 000005
【図４】
2014236728.tif 000006
【図５】
2014236728.tif 000007
【図６】
2014236728.tif 000008
【図７】
2014236728.tif 000009
【図８】
2014236728.tif 000010
【図９】
2014236728.tif 000011
【図１０】
2014236728.tif 000012
【図１１】
2014236728.tif 000013
【図１２】
2014236728.tif 000014
【図１３】
2014236728.tif 000015
【図１４】
2014236728.tif 000016
【図１５】
2014236728.tif 000017
【図１６】
2014236728.tif 000018